(57)【特許請求の範囲】
【請求項１】
軸筒内に複数の筆記体を前後方向に移動可能に収容し、前記各々の筆記体を弾発体により後方に付勢し、前記各々の筆記体の後端に操作体を連結し、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、前記軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在とする蓋部を設け、前記蓋部の一端部が、ヒンジ部により軸筒の後端部側壁に回動自在に接続され、開口部の開閉時、前記蓋部が略前後方向に回動する多芯筆記具であって、
前記開口部を開口させるために前記蓋部を後方に押圧する際に指が係合する係合突起を前記蓋部の他端部に設け、前記開口部の閉鎖時、前記係合突起を、前記複数の窓孔のうちの少なくともひとつの窓孔の軸方向の延長線上に配置し、前記窓孔相互間のヒンジ部以外の軸筒の後端部外縁と、前記蓋部の前端部外縁とを一致させ、軸筒後端と蓋部前面との間に段差が存在しないことを特徴とする多芯筆記具。
【発明の詳細な説明】
【技術分野】
【０００１】
本発明は、多芯筆記具に関する。詳細には、軸筒内に複数の筆記体を収容し、前記筆記体を軸筒の後端の開口部より交換可能にした多芯筆記具に関する。
【背景技術】
【０００２】
特許文献１には、軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させた多芯筆記具であって、軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在な蓋部を設け、前記蓋部の一端部が、ヒンジ部により軸筒の後端部側壁に回動自在に接続された構造が開示されている。
【先行技術文献】
【特許文献】
【０００３】
【特許文献１】特開２００７−３８６３５号公報
【発明の概要】
【発明が解決しようとする課題】
【０００４】
前記従来の多芯筆記具は、軸筒の窓孔相互間の側壁の後端より蓋部の外面を径方向外方に突出させ、前記蓋部の突出部分を後方に押圧操作することにより軸筒後端の開口部を開口させる構造である。それにより、軸筒の後端と蓋部前面との間に段差が形成され、軸筒の後端部外縁に対して蓋部の前端部外縁を径方向外方に突出させる必要があり、蓋部の外観デザイン上の自由度が減少する。その上、軸筒後端と蓋部前面との間の段差により、多芯筆記具後端部の外観性が損なわれるおそれがある。
【０００５】
本発明は、前記従来の問題点を解決するものであって、蓋部のデザイン上の自由度が増加し、後端部のスマートな外観を容易に得ることができる多芯筆記具を提供しようとするものである。また、本発明は、後端部のスマートな外観を確実に得ることができる多芯筆記具を提供しようとするものである。
尚、本発明において、「前」とはペン先側を指し、「後」とはその反対側を指す。
【課題を解決するための手段】
【０００６】
本願発明は、軸筒２内に複数の筆記体を前後方向に移動可能に収容し、前記各々の筆記体を弾発体７により後方に付勢し、前記各々の筆記体の後端に操作体６を連結し、前記軸筒２の側壁に前後方向に延びる複数の窓孔４１を径方向に貫設し、前記各々の窓孔４１から径方向外方に前記各々の操作体６を突出させ、一つの操作体６を窓孔４１に沿って前方にスライドさせることにより、その一つの操作体６に連結された筆記体のペン先を軸筒２の前端孔３１から突出させるとともに、先に突出状態にあった他の筆記体のペン先を軸筒２内に没入させてなり、前記軸筒２の後端に、窓孔４１を後方に開口させる開閉自在の開口部４２を設け、前記開口部４２を介して筆記体及び操作体６を、軸筒２内から取り外し可能且つ軸筒２内に挿入可能に構成し、前記軸筒２の後端部に、前記開口部４２を開閉自在とする蓋部５を設け、前記蓋部５の一端部が、ヒンジ部４５により軸筒２の後端部側壁に回動自在に接続され、開口部４２の開閉時、前記蓋部５が略前後方向に回動する多芯筆記具であって、前記開口部４２を開口させるために前記蓋部５を後方に押圧する際に指が係合する係合突起５３を前記蓋部５の他端部に設け、前記開口部４２の閉鎖時、前記係合突起５３を、前記複数の窓孔４１のうちの少なくともひとつの窓孔４１の軸方向の延長線上に配置し、前記窓孔４１相互間のヒンジ部４５以外の軸筒２の後端部外縁４６と、前記蓋部５の前端部外縁５４とを一致させ、軸筒２後端と蓋部５前面との間に段差が存在しないことを要件とする。
【０００７】
本願発明の多芯筆記具１は、軸筒２後端と蓋部５前面との間に段差を設けることが不要となり、蓋部５のデザイン上の自由度が増加し、後端部のスマートな外観を容易に得ることができる。
【０００８】
【０００９】
本願発明の多芯筆記具１は、軸筒２後端と蓋部５前面との間に段差が存在しないため、後端部のスマートな外観を確実に得ることができる。
【発明の効果】
【００１０】
本発明の多芯筆記具によれば、蓋部のデザイン上の自由度が増加し、後端部のスマートな外観を容易に得ることができる。
【図面の簡単な説明】
【００１１】
【図１】本発明の実施の形態の開口部を閉鎖した状態の軸筒を示す縦断面図である。
【図２】図１の開口部を開口させた状態を示す縦断面図である。
【図３】図１の背面図（反クリップ側から見た図）である。
【図４】図３の要部拡大図である。
【図５】図１の要部拡大側面図である。
【図６】図１の軸筒の内部に筆記体及び操作体を収容した状態の要部拡大斜視図である。
【図７】図１の拡大平面図である。
【図８】図７のＡ−Ａ線断面図である。
【図９】図８の要部拡大図である。
【発明を実施するための形態】
【００１２】
図１乃至図９に本発明の実施の形態を示す。
【００１３】
本実施の形態の多芯筆記具１は、軸筒２内に複数本（具体的には５本）の筆記体が前後方向に移動可能に収容されている。前記各々の筆記体は、各々の弾発体７（具体的には圧縮コイルスプリング）により、後方に付勢されている。本実施の形態では、軸筒２内に収容する筆記体の本数は、５本であるが、これ以外にも、例えば、２本、３本、４本、６本であってもよい。
【００１４】
（軸筒）
前記軸筒２は、先細円筒状の前軸３と、該前軸３の後端に連結される円筒状の後軸４とからなる。
【００１５】
（前軸）
前記前軸３は合成樹脂成形体または金属加工体により得られる。前記前軸３の前端には、前端孔３１が前後方向に貫設される。前記前軸３の外面は、弾性材料からなる把持部が設けられる
【００１６】
（後軸）
前記後軸４は、円筒状の前部材４ａと、該前部材４ａの後端部に連結される後部材４ｂとからなる。前記後軸４（即ち前部材４ａ及び後部材４ｂ）は、合成樹脂成形体または金属加工体により得られる。前記後軸４（即ち後部材４ｂ）の側壁には、前後方向に延びる複数（例えば５本）の窓孔４１が径方向に貫設される。前記後軸４（即ち前部材４ａ）の内壁には、弾発体７の前端を支持する弾発体支持部８が一体に形成される。前記弾発体支持部８は、各々の筆記体が摺動する複数の内孔８１を有する。前記弾発体支持部８において、弾発体７の前端が直接的または別部材を介して間接的に支持される。前記後軸４の側壁にはクリップ４３が一体に形成される。前記クリップ４３の基部にヒンジ部４５が形成される。前記ヒンジ部４５により蓋部５が回動自在に取り付けられる。
【００１７】
（筆記体）
前記各々の筆記体は、ボールペンレフィルであり、前端にボールが回転可能に抱持されたボールペンチップ（即ちペン先）と、該ボールペンチップを前端に備え且つ後端が開口されたインキ収容管とからなる。前記インキ収容管の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管内のインキの後端には、インキの消費に伴い前進する高粘度流体からなる追従体が充填される。
【００１８】
（操作体）
前記各々の筆記体の後端（即ちインキ収容管の後端開口部）には、操作体６が取り付けられる。前記各々の操作体６の操作部６１が、前記各々の窓孔４１から径方向外方に突出される。前記操作部６１を前方に押圧操作することにより、ペン先が突出状態となり、他の筆記体のペン先突出状態が解除される。
【００１９】
（蓋部）
図２に示すように、前記各々の窓孔４１の後端は、軸筒２の後端（即ち後軸４の後端）より後方に切り欠き状に開口する開口部４２が形成される。前記軸筒２の後端には、前記開口部４２を開閉自在にする蓋部５が設けられる。前記軸筒２の開口部４２を介して、前記筆記具と操作体６とを互いに連結状態で、交換することができる。前記蓋部５の一端部は、ヒンジ部４５により軸筒２の後端部側壁に回動自在に取り付けられる。前記蓋部５前面には、当接壁部５１が形成される。前記当接壁部５１に、ペン先没入状態の筆記体の後端に連結された各々の操作体６の後端が当接される。
【００２０】
前記蓋部５の前面には、係合部５２（具体的には係合孔）が設けられ、前記後軸４の後端には、前記係合部５２と係合可能な被係合部４４（具体的には係合突部）が設けられる。前記係合部５２と前記被係合部４４とは、蓋部５が開口部４２を閉鎖した際、互いに係合状態にあり、弾発体７の後方への付勢による操作体６と蓋部５前面の当接壁部５１との当接では、その係合状態は解除されず、蓋部５が開くことはない。
【００２１】
前記蓋部５の他端部に係合突起５３が形成される。前記係合突起５３は、前記開口部４２を開口させるために前記蓋部５を後方に押圧する際に指が係合する部分である。前記開口部４２の閉鎖時、前記係合突起５３を、前記複数の窓孔４１のうちの少なくともひとつの窓孔４１の軸方向の延長線上に配置した。さらに、図８、図９に示すように、前記窓孔４１相互間のヒンジ部４５以外の軸筒２の後端部外縁４６と、前記蓋部５の前端部外縁５４とを一致させた。
【００２２】
（弾発体支持部）
後軸４の内壁（即ち前部材４ａの内壁）には、弾発体支持部８が一体に形成される。前記弾発体支持部８には、各々の筆記体が挿通される複数（具体的には５個）の内孔８１が軸方向に貫設されている。前記弾発体支持部８の後面と各々の操作体６との間には、弾発体７が配置される。前記各々の弾発体７の内部に各々の筆記体が遊挿される。
【００２３】
前記弾発体支持部８に後面には、各々の操作体６との間に配置され、ペン先出没操作に伴って各々の操作体６と係合可能なカム部材９が固定される。前記カム部材９の後端部が、径方向に変位可能なカム部を備える。本実施の形態では、前記各々の弾発体７の前端が弾発体支持部８に係止され、一方、前記各々の弾発体７の後端が操作体６に係止される。
【００２４】
本実施の形態の多芯筆記具１は、前記開口部４２を開口させるために前記蓋部５を後方に押圧する際、指が係合する係合突起５３を前記蓋部５のヒンジ部４５と反対側の端部に設け、前記開口部４２の閉鎖時、前記係合突起５３を、前記複数の窓孔４１のうちの少なくともひとつの窓孔４１の軸方向の延長線上に配置したことにより、軸筒２後端と蓋部５前面との間に段差を設けることが不要となり、蓋部５のデザイン上の自由度が増加し、後端部のスマートな外観を容易に得ることができる。
【００２５】
本実施の形態の多芯筆記具１は、前記窓孔４１相互間のヒンジ部４５以外の軸筒２の後端部外縁４６と、前記蓋部５の前端部外縁５４とを一致させたことにより、軸筒２後端と蓋部５前面との間に段差が存在しないため、後端部のスマートな外観を確実に得ることができる。
【符号の説明】
【００２６】
１  多芯筆記具
２  軸筒
３  前軸
３１  前端孔
４  後軸
４１  窓孔
４２  開口部
４３  クリップ
４４  被係合部
４５  ヒンジ部
４６  後端部外縁
４ａ  前部材
４ｂ  後部材
５  蓋部
５１  当接壁部
５２  係合部
５３  係合突起
５４  前端部外縁
６  操作体
６１  操作部
７  弾発体
８  弾発体支持部
８１  内孔
９  カム部材
【図１】
0005694705.tif 000002
【図２】
0005694705.tif 000003
【図３】
0005694705.tif 000004
【図４】
0005694705.tif 000005
【図５】
0005694705.tif 000006
【図６】
0005694705.tif 000007
【図７】
0005694705.tif 000008
【図８】
0005694705.tif 000009
【図９】
0005694705.tif 000010